(57)【要約】【課題】  資料と動画とが同期したコンテンツの配信にあたって、資料の表示期間に相当する動画の主なシーン画像を資料と共に表示されるように配信する情報配信装置および情報配信システムを提供する。【解決手段】  記憶部１２に記憶するコンテンツ１５の資料画像に対応する場面画像とその資料画像とを同時に表示する資料優先表示画像を資料優先画面配信機能１４がＷｅｂクライアント３０に配信して、Ｗｅｂクライアント３０では、Ｗｅｂブラウザ３５により閲覧される。【選択図】  図１
2010220057.tif 000002
【特許請求の範囲】
【請求項１】
静止画である資料画像と動画とが同期した閲覧情報を管理する管理手段と、
ネットワークを介して接続される閲覧装置からの任意の閲覧情報と資料とを指定した資料優先表示配信要求に基づき、前記指定された閲覧情報から前記指定された資料に対応する資料画像と該資料画像と同期して再生される動画に含まれる場面毎の場面画像とをそれぞれ取得する画像取得手段と、
前記画像取得手段により取得された前記資料画像と該資料画像に対応する前記場面画像とが同時に表示される資料優先表示画像情報を前記資料優先表示配信要求元の閲覧装置に配信する配信手段と
を具備する情報配信装置。
【請求項２】
前記配信手段で配信される前記場面画像は、
当該場面画像が含まれる動画を参照する参照情報を備え、
前記配信手段は、
当該場面画像を指定する操作が前記閲覧装置で行われることにより、当該場面画像を含む場面の動画データを前記閲覧装置に配信する
請求項１記載の情報配信装置。
【請求項３】
前記配信手段は、
前記場面画像が含まれる前記場面の継続時間に応じて、当該資料画像と同時に表示される当該場面画像の大きさを変化させて生成する
請求項１または２記載の情報配信装置。
【請求項４】
前記配信手段は、
前記場面画像が含まれる前記場面の継続時間、或いは、前記場面画像の再生時刻に応じて、当該資料画像と同時に表示される当該場面画像の表示位置を変化させる
請求項１乃至３いずれか記載の情報配信装置。
【請求項５】
前記配信手段は、
前記資料優先表示画像情報を文書ファイルに生成して、当該文書ファイルを前記資料優先表示配信要求元の閲覧装置に配信する
請求項１乃至４いずれか記載の情報配信装置。
【請求項６】
前記資料優先表示画像情報には、前記場面画像に対応する前記参照情報である参照画像情報が当該場面画像と同時に表示するための情報を含み、
前記閲覧装置に接続される画像形成装置より当該資料優先表示画像情報が印刷されて、印刷された用紙上の前記参照画像情報が読み取られることにより、当該参照画像情報を前記参照情報とする動画が当該参照画像情報を読み取った端末へ配信される
請求項２乃至５いずれか記載の情報配信装置。
【請求項７】
静止画である資料画像と動画とが同期した閲覧情報を配信する配信装置と、前記配信装置によって配信された閲覧情報を閲覧する閲覧端末とを有し、
前記配信装置は、
前記閲覧情報を管理する管理手段と、
ネットワークを介して接続される前記閲覧端末からの任意の閲覧情報と資料とを指定した前記資料優先表示配信要求に基づき、前記指定された閲覧情報から前記指定された資料に対応する資料画像と該資料画像と同期して再生される動画に含まれる場面毎の場面画像とをそれぞれ取得する画像取得手段と、
前記画像取得手段により取得された前記資料画像と該資料画像に対応する前記場面画像とが同時に表示される資料優先表示画像情報を前記閲覧端末に配信する配信手段と
を具備し、
前記閲覧端末は、
前記配信装置に対して、任意の閲覧情報と資料とを指定した資料優先表示配信要求を行う手段と、
前記資料優先表示配信要求に対して前記配信装置より配信される資料優先表示画像情報に基づき、前記指定した資料画像と該資料画像に対応する前記場面画像とを同時に表示する再生制御を行う再生制御手段と
を具備する情報配信システム。
【請求項８】
前記配信手段で配信される前記場面画像は、
当該場面画像が含まれる動画を参照する参照情報を備え、
前記配信手段は、
当該場面画像を指定する操作が前記閲覧端末で行われることにより、当該場面画像を含む場面の動画データを前記閲覧端末に配信する
請求項７記載の情報配信システム。
【請求項９】
前記配信手段は、
前記場面画像が含まれる前記場面の継続時間に応じて、当該資料画像と同時に表示される当該場面画像の大きさを変化させて生成する
請求項７または８記載の情報配信システム。
【請求項１０】
前記配信手段は、
前記場面画像が含まれる前記場面の継続時間、或いは、前記場面画像の再生時刻に応じて、当該資料画像と同時に表示される当該場面画像の表示位置を変化させる
請求項７乃至９いずれか記載の情報配信システム。
【請求項１１】
前記配信手段は、
前記資料優先表示画像情報を文書ファイルに生成して、当該文書ファイルを前記閲覧端末に配信する
請求項７乃至１０いずれか記載の情報配信システム。
【請求項１２】
前記資料優先表示画像情報には、前記場面画像に対応する前記参照情報である参照画像情報が当該場面画像と同時に表示するための情報を含み、
前記閲覧端末に接続される画像形成装置より当該資料優先表示画像情報が印刷されて、印刷された用紙上の前記参照画像情報が読み取られることにより、当該参照画像情報を前記参照情報とする動画が当該参照画像情報を読み取った端末へ配信される
請求項８乃至１１いずれか記載の情報配信システム。
【発明の詳細な説明】
【技術分野】
【０００１】
本発明は、情報配信装置および情報配信システムに関する。
【背景技術】
【０００２】
近年、ネットワーク利用技術の発達と共に、自宅や遠隔地で、ネットワーク配信される講義で学習を行うｅラーニングが行われるようになった。
【０００３】
ｅラーニングではネットワークを介して講義の内容が説明される為、動画（話者が話す様子）と動画の再生時間に同期して切り替わり表示される資料（テキストや静止画）で組み合わされたコンテンツが配信されていた。
【０００４】
従来、このようなコンテンツを配信するシステムでは、動画が「主」、資料が「副」の関係で、動画を再生するに伴い資料が閲覧されていた。
【０００５】
特許文献１には、テキスト文書と同期情報のない動画とからなるマルチメディア文書を印刷するに伴い、テキスト内容と動画の静止画に付加された属性情報とから、テキスト内容と動画像の一致または概念検索の結果から、テキスト内容と同期する動画の静止画を抽出し、テキスト内容とその静止画とからなる文書を生成する動画像出力装置が提案されている。
【０００６】
特許文献２には、時間軸構成部、画像情報同期部、時間軸分割部、表示制御部を備え、動画に関連する資料の各ページの表示時刻に相当する動画の時刻区間を時間軸表に表示する画像表示プログラム、画像表示方法及び画像表示装置が提案されている。
【特許文献１】特開２００６−０５０２２６号公報
【特許文献２】特開２００６−１６５８２４号公報
【発明の開示】
【発明が解決しようとする課題】
【０００７】
資料と動画とが同期したコンテンツの配信にあたって、資料と共に、資料の表示期間に相当する動画の主なシーン画像が表示されるようにコンテンツ配信する情報配信装置および情報配信システムを提供することを目的とする。
【課題を解決するための手段】
【０００８】
上記目的を達成する為に、請求項１の発明の情報配信装置は、静止画である資料画像と動画とが同期した閲覧情報を管理する管理手段と、ネットワークを介して接続される閲覧装置からの任意の閲覧情報と資料とを指定した資料優先表示配信要求に基づき、前記指定された閲覧情報から前記指定された資料に対応する資料画像と該資料画像と同期して再生される動画に含まれる場面毎の場面画像とをそれぞれ取得する画像取得手段と、前記画像取得手段により取得された前記資料画像と該資料画像に対応する前記場面画像とが同時に表示される資料優先表示画像情報を前記資料優先表示配信要求元の閲覧装置に配信する配信手段とを具備するように構成される。
【０００９】
また、請求項２の発明は、請求項１の発明において、前記配信手段で配信される前記場面画像は、当該場面画像が含まれる動画を参照する参照情報を備え、前記配信手段は、当該場面画像を指定する操作が前記閲覧装置で行われることにより、当該場面画像を含む場面の動画データを前記閲覧装置に配信するように構成される。
【００１０】
また、請求項３の発明は、請求項１または２の発明において、前記配信手段は、前記場面画像が含まれる前記場面の継続時間に応じて、当該資料画像と同時に表示される当該場面画像の大きさを変化させて生成するように構成される。
【００１１】
また、請求項４の発明は、請求項１乃至３のいずれかの発明において、前記配信手段は、前記場面画像が含まれる前記場面の継続時間、或いは、前記場面画像の再生時刻に応じて、当該資料画像と同時に表示される当該場面画像の表示位置を変化させるように構成される。
【００１２】
また、請求項５の発明は、請求項１乃至４のいずれかの発明において、前記配信手段は、前記資料優先表示画像情報を文書ファイルに生成して、当該文書ファイルを前記資料優先表示配信要求元の閲覧装置に配信するように構成される。
【００１３】
また、請求項６の発明は、請求項２乃至５のいずれかの発明において、前記資料優先表示画像情報には、前記場面画像に対応する前記参照情報である参照画像情報が当該場面画像と同時に表示するための情報を含み、前記閲覧装置に接続される画像形成装置より当該資料優先表示画像情報が印刷されて、印刷された用紙上の前記参照画像情報が読み取られることにより、当該参照画像情報を前記参照情報とする動画が当該参照画像情報を読み取った端末へ配信されるように構成される。
【００１４】
また、請求項７の発明の情報配信システムは、静止画である資料画像と動画とが同期した閲覧情報を配信する配信装置と、前記配信装置によって配信された閲覧情報を閲覧する閲覧端末とを有し、前記配信装置は、前記閲覧情報を管理する管理手段と、ネットワークを介して接続される前記閲覧端末からの任意の閲覧情報と資料とを指定した前記資料優先表示配信要求に基づき、前記指定された閲覧情報から前記指定された資料に対応する資料画像と該資料画像と同期して再生される動画に含まれる場面毎の場面画像とをそれぞれ取得する画像取得手段と、前記画像取得手段により取得された前記資料画像と該資料画像に対応する前記場面画像とが同時に表示される資料優先表示画像情報を前記閲覧端末に配信する配信手段とを具備し、前記閲覧端末は、前記配信装置に対して、任意の閲覧情報と資料とを指定した資料優先表示配信要求を行う手段と、前記資料優先表示配信要求に対して前記配信装置より配信される資料優先表示画像情報に基づき、前記指定した資料画像と該資料画像に対応する前記場面画像とを同時に表示する再生制御を行う再生制御手段とを具備するように構成される。
【００１５】
また、請求項８の発明は、請求項７の発明において、前記配信手段で配信される前記場面画像は、当該場面画像が含まれる動画を参照する参照情報を備え、前記配信手段は、当該場面画像を指定する操作が前記閲覧端末で行われることにより、当該場面画像を含む場面の動画データを前記閲覧端末に配信するように構成される。
【００１６】
また、請求項９の発明は、請求項７または８の発明において、前記配信手段は、前記場面画像が含まれる前記場面の継続時間に応じて、当該資料画像と同時に表示される当該場面画像の大きさを変化させて生成するように構成される。
【００１７】
また、請求項１０の発明は、請求項７乃至９のいずれかの発明において、前記配信手段は、前記場面画像が含まれる前記場面の継続時間、或いは、前記場面画像の再生時刻に応じて、当該資料画像と同時に表示される当該場面画像の表示位置を変化させるように構成される。
【００１８】
また、請求項１１の発明は、請求項７乃至１０のいずれかの発明において、前記配信手段は、前記資料優先表示画像情報を文書ファイルに生成して、当該文書ファイルを前記閲覧端末に配信するように構成される。
【００１９】
また、請求項１２の発明は、請求項８乃至１１のいずれかの発明において、前記資料優先表示画像情報には、前記場面画像に対応する前記参照情報である参照画像情報が当該場面画像と同時に表示するための情報を含み、前記閲覧端末に接続される画像形成装置より当該資料優先表示画像情報が印刷されて、印刷された用紙上の前記参照画像情報が読み取られることにより、当該参照画像情報を前記参照情報とする動画が当該参照画像情報を読み取った端末へ配信されるように構成される。
【発明の効果】
【００２０】
請求項１の発明によれば、資料画像とその資料画像に同期する動画の場面画像とが同時に表示される資料優先表示画像が配信装置から閲覧装置に配信される。
【００２１】
請求項２の発明によれば、資料優先表示画面上の場面画像を含んだ動画が閲覧装置に配信される。
【００２２】
請求項３の発明によれば、場面画像の大きさに基づき場面の継続時間の大小が把握される。
【００２３】
請求項４の発明によれば、場面画像の位置に基づきその場面についての情報が把握される。
【００２４】
請求項５の発明によれば、閲覧装置で、資料優先表示画像が文書ファイルとして取得される。
【００２５】
請求項６の発明によれば、資料優先表示画像が印刷された用紙上の参照画像情報に基づき、動画が配信される。
【００２６】
請求項７の発明によれば、資料画像とその資料画像に同期する動画の場面画像とが同時に表示される資料優先表示画像が配信装置から閲覧装置に配信される。
【００２７】
請求項８の発明によれば、資料優先表示画面上の場面画像を含んだ動画が閲覧装置に配信される。
【００２８】
請求項９の発明によれば、場面画像の大きさに基づき場面の継続時間の大小が把握される。
【００２９】
請求項１０の発明によれば、場面画像の位置に基づきその場面についての情報が把握される。
【００３０】
請求項１１の発明によれば、閲覧装置で、資料優先表示画像が文書ファイルとして取得される。
【００３１】
請求項１２の発明によれば、資料優先表示画像が印刷された用紙上の参照画像情報に基づき、動画が配信される。
【発明を実施するための最良の形態】
【００３２】
以下、本発明の実施例について添付図面を参照して詳細に説明する。
【００３３】
まず、コンテンツ配信システム１について図１を参照して説明を行う。
【００３４】
図１は、コンテンツ配信システム１の構成を示すブロック図である。
【００３５】
コンテンツ配信システム１は、図１に示すように、コンテンツ配信サーバ１０がネットワーク２に接続されており、Ｗｅｂクライアント３０がネットワーク２に接続されて構成される。
【００３６】
コンテンツ配信サーバ１０は、制御部１１、記憶部１２を有する。
【００３７】
制御部１１は、コンテンツ配信サーバ１０を統括的に制御する機能を有し、Ｗｅｂクライアント３０にコンテンツを配信する機能として動画優先画面配信機能１３、資料優先画面配信機能１４を有する。
【００３８】
コンテンツ配信サーバ１０が配信するコンテンツは、映像の動画と、その動画の内容を説明する文書としての資料とがある。
【００３９】
Ｗｅｂクライアント３０を操作するコンテンツの閲覧者は、コンテンツ配信サーバ１０から送られるコンテンツとして動画優先画面を表示させて閲覧するか、資料優先画面を表示させて閲覧する。
【００４０】
動画優先画面がユーザにより選択された場合には、制御部１３の動画優先画面配信機能１３によってＷｅｂクライアント３０に動画優先画面情報が配信され、資料優先画面がユーザにより選択された場合には、制御部１３の資料優先画面配信機能１４によってＷｅｂクライアント３０に資料優先画面情報が配信される。
【００４１】
記憶部１２は、Ｗｅｂクライアント３０に配信するコンテンツを記憶する。
【００４２】
また、Ｗｅｂクライアント３０は、画面表示部３１、制御部３２、記憶部３３、入力部３４を有するパーソナルコンピュータである。
【００４３】
画面表示部３１は、液晶等のカラーディスプレイで構成され、閲覧者に情報を表示する。
【００４４】
制御部３２は、ＣＰＵ（Central Processing Unit）で構成され、Ｗｅｂクライアント３０を統括的に制御する。
【００４５】
記憶部３３は、ハードディスク等の記憶装置で構成され、Ｗｅｂクライアント３０を動作させるＯＳ（Operating System）等の基本ソフトウェアや、Ｗｅｂブラウザ３５のソフトウェア等を記憶する。
【００４６】
入力部３４は、キーボードやマウス等で構成され、ユーザによってユーザの指示が入力される。
【００４７】
このように構成されるコンテンツ配信システム１では、Ｗｅｂクライアント３０を操作するコンテンツの閲覧者は、閲覧者の既望に応じてコンテンツを動画優先画面で閲覧したり、資料優先画面で閲覧したりする。
【００４８】
次に、コンテンツ配信サーバ１０について図２を参照して説明する。
【００４９】
図２は、コンテンツ配信サーバ１０の機能を示した模式図である。
【００５０】
コンテンツ配信サーバ１０は、記憶部１２に記憶するコンテンツとして、動画と資料とを記憶する。
【００５１】
コンテンツとして記憶される資料は、文書情報であり、それぞれの資料は、動画の再生時間情報の特定の時刻区間と対応している。
【００５２】
そして、コンテンツ配信サーバ１０は、動画と資料との対応関係を同期情報として記憶部１０内に記憶する。
【００５３】
また、コンテンツ配信サーバ１０は、制御部１１に動画優先画面情報を生成してＷｅｂクライアント３０へ配信する動画優先画面配信機能１３と資料優先画面情報を生成してＷｅｂクライアント３０へ配信する資料優先画面配信機能１４とを有しており、動画優先画面配信機能１３は、更に、ストリーミング配信部１６、同期情報配信部１７、資料配信部１８とを有し、また、資料優先画面配信機能１４は、資料配信部１９、シーン画像配信部２０、シーン画像情報取得部２２とを有する。
【００５４】
ストリーミング配信部１６は、コンテンツの動画情報をストリーミング技術を使ってＷｅｂクライアント３０に配信する機能を司る。
【００５５】
資料配信部１８は、ストリーミング配信部１６によって配信される動画に対応した資料をＷｅｂクライアント３０に送る機能を司る。
【００５６】
同期情報配信部１７は、ストリーミング配信部１６によって配信される動画と資料配信部１８によって配信される資料との同期情報をＷｅｂクライアント３０に配信する。
【００５７】
このように、動画優先画面配信機能１３によって、コンテンツ配信サーバ１０からＷｅｂクライアント３０に動画が配信される。
【００５８】
また、資料優先画面配信機能１４の資料配信部１９は、コンテンツの資料を配信する機能を司る。
【００５９】
シーン画像情報取得部２２は、資料優先画面配信部１９によって配信される資料に対応した動画のある時点の場面を示す画像であるシーン画像を取得する機能を司る。
【００６０】
シーン画像は、動画をシーン毎に分けた場合に、それぞれのシーンにおけるある時点の静止画である。
【００６１】
図３に示すように、資料は動画と対応しており、動画のそれぞれのシーンにおけるシーン画像が存在する。
【００６２】
シーン画像情報取得部２２が取得したシーン画像は、シーン画像情報２１として記憶部１２に記憶され、シーン画像配信部２０より、資料優先画面のシーン画像としてＷｅｂクライアント３０に配信される。
【００６３】
次に、Ｗｅｂクライアント３０について図４を参照して説明する。
【００６４】
図４は、Ｗｅｂクライアント３０の機能を示した模式図である。
【００６５】
Ｗｅｂクライアント３０では、Ｗｅｂブラウザ３５によってコンテンツ配信サーバ１０より配信されるコンテンツが閲覧される。
【００６６】
その際、Ｗｅｂクライアント３０で表示されるコンテンツの画面は、動画優先画面または資料優先画面であり、それぞれの画面内に配置されるボタンにより互いの画面に表示が切り替えられる。
【００６７】
そして、動画優先画面情報が配信されたＷｅｂクライアント３０は、Ｗｅｂブラウザによって、動画優先画面を表示する動画優先画面再生機能５１を有する。
【００６８】
動画優先画面再生機能５１は、動画を再生する動画再生部５３と資料を表示する資料表示部５５と動画と資料との同期を管理する同期管理部５４とを有する。
【００６９】
また、資料優先画面情報が配信されたＷｅｂクライアント３０は、Ｗｅｂブラウザによって、資料優先画面を表示する資料優先画面表示機能５２を有する。
【００７０】
資料優先画面表示機能５２は、資料を表示する資料表示部５６、シーン画像を表示するシーン画像表示部５７を有する。
【００７１】
次に、Ｗｅｂクライアント３０で表示されるコンテンツについて図５を参照して説明を行う。
【００７２】
図５は、Ｗｅｂクライアント３０に表示されるコンテンツについて示した模式図である。
【００７３】
Ｗｅｂクライアント３０の画面表示部３１には、Ｗｅｂブラウザ３５によってコンテンツを選択する画面が表示される（参照番号５０１）。
【００７４】
閲覧者によってコンテンツが選択されると、次にそのコンテンツを表示するための画面選択のための画面が表示される（参照番号５０２）。
【００７５】
例えば、図５に示すように、コンテンツ２の資料優先画面が選択されると、画面表示部３１にコンテンツ２の資料優先画面が表示される（参照番号５０３）。
【００７６】
資料優先画面には、図５に示すように、動画と対応した資料が動画より大きく表示され（参照番号５０４）、また、表示された資料に対応するシーン画像も表示される（参照番号５０５）。
【００７７】
資料優先画面上で、表示されるシーン画像がクリックされると、図６に示すように、資料優先画面から動画優先画面に切り替わり、クリックされたシーン画像のシーンの最初から動画が再生される。
【００７８】
資料優先画面上でシーン画像がクリックされると、コンテンツ配信サーバ１０は、Ｗｅｂクライアント３０から動画優先画面への遷移要求を受信し、クリックされたシーン画像のシーンの最初からの動画を配信する。
【００７９】
動画優先画面上（参照番号５０６）では、動画をコントロールする再生、一時停止、停止ボタンと、その動画の内容を説明する為の、その動画に対応した資料が表示される。
【００８０】
閲覧者は、動画優先画面では、動画を視聴しながら動画優先画面中に表示される資料を参考にして動画で説明される内容を理解するようにする。
【００８１】
動画優先画面上には、資料優先画面表示ボタン５０７も表示されている。
【００８２】
例えば、人が壇上で話すなどの変化の少ない動画が再生されて、閲覧者がコンテンツの内容を理解する為に、動画を見るのではなく、資料を主に見続けるような場合には、閲覧者は、資料優先表示ボタン５０７を押下する。
【００８３】
資料優先表示ボタン５０７が押下されると、画面表示が資料優先画面に切り替わり、コンテンツは資料優先画面で表示される。
【００８４】
動画優先画面上で資料優先画面表示ボタン５０７が押下されると、コンテンツ配信サーバ１０は、Ｗｅｂクライアント３０から資料優先画面への遷移要求を受信し、動画優先画面上に表示されていた資料を表示する資料優先画面情報を配信する。
【００８５】
次に資料優先画面情報が作成される為にコンテンツ配信サーバ１０で行われる処理について図７を参照して説明を行う。
【００８６】
図７は、コンテンツ配信サーバ１０の資料優先画面配信機能１４のシーン画像情報取得部２２で行われる処理を示したフローチャートである。
【００８７】
シーン画像情報取得部２２は、まず、最初の資料について、その資料と対応する動画の区間内からシーンの切り替わりを検出する（ステップ７０１）。
【００８８】
コンテンツは、図８（ａ）に示すように、動画の内容が数々のシーンに分かれており、また、動画の内容を補助的に説明する為の資料も、それぞれの動画のシーンに対応している。
【００８９】
ステップ７０１の処理は、図８（ａ）に示す例では、資料１に対応した動画のシーンＡとシーンＢとの切り替わりが検出される処理である。
【００９０】
シーン画像情報取得部２２は、次に、シーンの切り替わり個所の数を一定の数以下にフィルタリングする（ステップ７０２）。例えば、ステップ７０１の処理の結果、シーンの切り替わりの数が予め決められた所定の数よりも多いい場合には、シーンの切り替わりの変化量が小さい個所は切り替わりとは判断しないようにする。
【００９１】
次に、シーン画像情報取得部２２は、資料に対応するシーンから、そのシーンの区間内の中間点の静止画をシーン画像として取得する（ステップ７０３）。
【００９２】
そして、ステップ７０３で取得されたシーン画像は、記憶部１２に記憶される（ステップ７０４）。
【００９３】
シーン画像が記憶される際には、図８（ｂ）に示すように、コンテンツＩＤと、資料ＩＤと、シーンの名前と、シーン画像の動画中の時刻と、そのシーン画像のシーンが継続する時間であるシーン継続時間とが記憶される。
【００９４】
そして、資料１についてのシーン画像が記憶されると、次の資料についてシーン画像の記憶が行われる（ステップ７０６）。
【００９５】
そのコンテンツの全ての資料についてシーン画像が記憶されると（ステップ７０５でＹＥＳ）、シーン画像情報取得部２２の処理は終了する。
【００９６】
このようにして取得されたシーン画像に基づいて、資料優先画面情報はＷｅｂクライアント３０に配信される。
【００９７】
次に、資料優先画面の画面構成について図９を参照して説明を行う。
【００９８】
図９はシーン画像の取得時刻を表示した資料優先画面である。
【００９９】
図９に示すように、資料と共に表示されるシーン画像にはそのシーンが図が動画から取得された動画中の時刻が表示される。
【０１００】
また、シーン画像の大きさは、そのシーン画像が含まれるシーンの継続時間の大小に比例して生成される。例えば、図９に示すような、シーン画像Ｃ（参照番号９０１）のシーンはシーンＣであるが、シーンＣの継続時間は11分8秒である。そして、シーン画像Ｃより小さく表示されるシーン画像Ｄ（参照番号９０２）のシーンはシーンＤであるが、シーンＤの継続時間は7分12秒である。
【０１０１】
次に、時間軸が使用されてシーン画像が表示される資料優先画面について図１０を参照して説明を行う。
【０１０２】
図１０は、時間軸が使用されてシーン画像が表示される資料優先画面を示す模式図である。
【０１０３】
図１０に示すように、資料優先画面にはシーン画像が表示されている。
【０１０４】
時間軸が使用されてシーン画像が表示される資料優先画面で表示されるシーン画像の大きさは、図９を参照して説明したように、そのシーン画像が含まれるシーンの継続時間の大小に比例して、大きく表示されたり、小さく表示されたりしている。
【０１０５】
また、シーン画像配列の隣に時間軸が表示されており、表示されるシーン画像のシーンの継続時間がその時間軸で表示される。そのような時間軸で示されるシーンの継続時間の場所に対応して、シーン毎のシーン画像が配置される。
【０１０６】
シーン画像の動画中でのシーン取得時刻も、表示される時間軸上で表現されている（参照番号１００１）。
【０１０７】
また、資料優先画面で表示される資料の切り替わり開始時刻と切り替わり終了時刻も、時間軸の周辺に表示される（参照番号１００２）。
【０１０８】
資料の切り替わり開始時刻とは、例えば、資料優先画面上に表示される資料が資料２である場合には、資料１から資料２への切り替わり時刻が資料切り替わり開始時刻となり、資料２から資料３への切り替わり時刻が資料切り替わり終了時刻となる。
【０１０９】
次に、シーン画像と共にシーン画像に対応する参照情報を示す画像であるＱＲコード等の二次元バーコードが表示される資料優先画面について図１１を参照して説明を行う。
【０１１０】
図１１は、シーン画像と共に二次元バーコードが表示される資料優先画面を示す模式図である。
【０１１１】
図１１に示すように、資料優先画面には、資料に対応するシーン画像が表示されていて、それぞれのシーン画像の隣に二次元バーコードが表示される。
【０１１２】
この二次元バーコードが携帯電話などで読み取られると、二次元バーコードで指定されるＷｅｂ画面が表示され、そのＷｅｂ画面では、読み取られた二次元バーコードの隣に配置されたシーン画像のシーンの最初から動画がスタートされる。
【０１１３】
次に、コンテンツ配信サーバ１０から資料優先画面に相当する資料がダウンロードされる場合について図１２を参照して説明を行う。
【０１１４】
図１２は、コンテンツ配信サーバ１０から文書ファイルとして資料をダウンロードしたＷｅｂクライアント３０について示した模式図であり、図１２（ａ）は文書ファイルとして資料をダウンロードしたＷｅｂクライアント３０の画面を示す模式図であり、図１２（ｂ）はダウンロードされた資料が印刷された様子を示す模式図であり、図１２（ｃ）は印刷された用紙上の二次元バーコードより動画が再生された様子を示す模式図である。
【０１１５】
コンテンツ配信サーバ１０からは、資料優先画面配信機能１４により、図１１に示すように二次元バーコードが配置された資料優先画面を表示させる資料優先画面情報が配信されるが、Ｗｅｂクライアント３０を操作するユーザがオフラインで資料を閲覧できるように、資料とシーン画像とシーン画像に関わる二次元バーコードとが配置された文書が文書ファイルとしてコンテンツ配信サーバ１０の図示しない文書ファイル生成部で生成され、Ｗｅｂクライアント３０にダウンロードされる。ダウンロードされる文書ファイルの形式は、例えば、DocuWorksファイルやＰＤＦ（Portable Document Format）ファイルが挙げられる。
【０１１６】
ダウンロードされた資料の文書ファイルには、図１２（ａ）に示すように、一つの資料が文書の１ページに配置され、その同じ１ページにその資料に対応するシーン画像とシーン画像に関わる二次元バーコードとが配置される。
【０１１７】
このようにダウンロードされた資料の文書ファイルは、図１２（ｂ）に示すように、もちろん印刷可能である。
【０１１８】
図１２（ｂ）に示すように印刷された資料の文書ファイルには二次元バーコードが印刷されており、この二次元バーコードが二次元バーコード読み取り装置で読み取られることによって、図１２（ｃ）に示すように二次元バーコードの隣に配置されたシーン画像のシーンの最初の動画が動画優先画面として二次元バーコード読み取り装置が備えられたパーソナルコンピュータのＷｅｂブラウザ上に再生される。
【０１１９】
印刷された資料の文書ファイル上の二次元バーコードを読み取る装置は、もちろん携帯電話などの他の装置であってもよい。
【産業上の利用可能性】
【０１２０】
この発明は、情報配信装置および情報配信システムにおいて利用可能である。
【図面の簡単な説明】
【０１２１】
【図１】コンテンツ配信システム１の構成を示すブロック図。
【図２】コンテンツ配信サーバ１０の機能を示した模式図。
【図３】資料と対応する動画を示す模式図。
【図４】Ｗｅｂクライアント３０の機能を示した模式図。
【図５】Ｗｅｂクライアント３０に表示されるコンテンツについて示した模式図。
【図６】資料優先画面から動画優先画面への画面遷移を示す模式図。
【図７】画像情報取得部２２で行われる処理を示したフローチャート。
【図８】シーン画像取得についての図。
【図９】画像取得時刻が表示される資料優先画面を示す模式図。
【図１０】時間軸が表示される資料優先画面を示す模式図。
【図１１】二次元バーコードが表示される資料優先画面を示す模式図。
【図１２】資料を文書ファイルとしてダウンロードする場合の図。
【符号の説明】
【０１２２】
１０    コンテンツ配信サーバ
１１    制御部
１２    記憶部
１３    動画優先画面配信機能
１４    資料優先画面配信機能
１５    コンテンツ
１６    ストリーミング配信部
１７    同期情報配信部
１８    資料配信部
１９    資料配信部
２０    シーン画像配信部
２１    シーン画像情報
２２    シーン画像情報取得部
３０    Ｗｅｂクライアント
３５    Ｗｅｂブラウザ
【図１】
2010220057.tif 000003
【図２】
2010220057.tif 000004
【図３】
2010220057.tif 000005
【図４】
2010220057.tif 000006
【図５】
2010220057.tif 000007
【図６】
2010220057.tif 000008
【図７】
2010220057.tif 000009
【図８】
2010220057.tif 000010
【図９】
2010220057.tif 000011
【図１０】
2010220057.tif 000012
【図１１】
2010220057.tif 000013
【図１２】
2010220057.tif 000014